(57)【要約】【課題】装置に重い負荷をかけることなく、また利用者に不快感を与えることなく、映像を投写する。【解決手段】蛍光体ホイール１１０を回転させるホイール駆動部１２０と、蛍光体ホイール１１０に対して、光を照射する検出光発生部１３０と、検出光発生部１３０から照射され、蛍光体ホイール１１０で反射した光を検知する光センサ１４０と、光センサ１４０が検知した光の強度に基づいて、ホイール駆動部１２０が蛍光体ホイール１１０を回転させる回転速度を制御するホイール駆動制御部１５０とを有する。【選択図】図１
2017151140.tif 000002
【特許請求の範囲】
【請求項１】
蛍光体ホイールを回転させるホイール駆動部と、
前記蛍光体ホイールに対して、光を照射する検出光発生部と、
前記検出光発生部から照射され、前記蛍光体ホイールで反射した光を検知する光センサと、
前記光センサが検知した光の強度に基づいて、前記ホイール駆動部が前記蛍光体ホイールを回転させる回転速度を制御するホイール駆動制御部とを有する駆動制御装置。
【請求項２】
請求項１に記載の駆動制御装置において、
前記検出光発生部は、回転した前記蛍光体ホイールに励起光が照射される領域であって、該励起光が照射される位置とは異なる位置に前記光を照射する駆動制御装置。
【請求項３】
請求項２に記載の駆動制御装置において、
前記ホイール駆動制御部は、前記蛍光体ホイールに励起光が照射される該蛍光体ホイール上の位置と、前記検出光発生部が光を照射する前記蛍光体ホイール上の位置との位置関係に基づいて、前記蛍光体ホイールを回転させる回転速度を変化させるタイミングを制御する駆動制御装置。
【請求項４】
請求項１から３のいずれか１項に記載の駆動制御装置において、
前記ホイール駆動制御部は、前記光センサが検知した光の強度が所定の閾値よりも弱くなったタイミングに応じたタイミングで、前記ホイール駆動部が前記蛍光体ホイールを回転させる回転速度を速い速度へ変化させ、その後、前記光センサが検知した光の強度が所定の閾値よりも弱くなくなったタイミングに応じたタイミングで、前記ホイール駆動部が前記蛍光体ホイールを回転させる回転速度を元に戻す駆動制御装置。
【請求項５】
請求項１から４のいずれか１項に記載の駆動制御装置において、
前記検出光発生部は、前記蛍光体ホイールに対して、赤外線を照射する駆動制御装置。
【請求項６】
請求項１から５のいずれか１項に記載の駆動制御装置と、
画像に応じた励起光を前記蛍光体ホイールへ照射する励起光発生部と、
前記励起光発生部から前記蛍光体ホイールへ照射された励起光から発生した蛍光を投写する投写部とを有するプロジェクタ。
【請求項７】
請求項６に記載のプロジェクタにおいて、
前記励起光発生部は、レーザーダイオードであるプロジェクタ。
【請求項８】
蛍光体ホイールを回転させる処理と、
前記蛍光体ホイールに対して、光を照射する処理と、
前記蛍光体ホイールに対して照射されて該蛍光体ホイールで反射した光を検知する処理と、
前記検知した光の強度に基づいて、前記蛍光体ホイールを回転させる回転速度を制御する処理と行う駆動制御方法。
【請求項９】
コンピュータに、
蛍光体ホイールを回転させる手順と、
前記蛍光体ホイールに対して、光を照射する手順と、
前記蛍光体ホイールに対して照射されて該蛍光体ホイールで反射した光を検知する手順と、
前記検知した光の強度に基づいて、前記蛍光体ホイールを回転させる回転速度を制御する手順とを実行させるためのプログラム。
【発明の詳細な説明】
【技術分野】
【０００１】
本発明は、駆動制御を行う駆動制御装置、プロジェクタ、駆動制御方法およびプログラムに関し、特に、蛍光体ホイールの駆動制御を行う駆動制御装置、プロジェクタ、駆動制御方法およびプログラムに関する。
【背景技術】
【０００２】
一般的なプロジェクタ等の投写装置に搭載されたレーザーダイオードから発生するレーザー光（励起光）の出力は一定である。このような投写装置には、複数に分割した蛍光体を貼り合わせたディスクを回転して、励起光による蛍光を発生させる蛍光体ホイールが具備されている。この蛍光体ホイールにおいて、分割された蛍光体のつなぎ目の隙間や、蛍光体の表面の傷、厚みのばらつきを持つものもある。そのような蛍光体ホイールでは、出力が一定の励起光が当たる位置によっては、蛍光の強度に強弱が発生する。この蛍光の強度の強弱は、ディスクが回転しているため、一定周期で発生する。これにより励起光が照射された蛍光にばらつきが生じ、光源全体の出力に一定周期の強弱が発生し、プロジェクタの投写画面にフリッカーが発生してしまう。このようなフリッカーが発生した投写画面は、利用者に不快感を与えてしまう。
そこで、蛍光体ホイールを高速で回転させることで、フリッカーの発生周期を高速にして、このフリッカーを視覚的に目立たなくさせる方法が考えられている。また、プロジェクタの投写画面の品質を高品質とするために、蛍光体の一部に欠陥領域があることにより蛍光の強度が所定の強度よりも弱い場合、その領域を避けて励起光を照射させる技術が考えられている（例えば、特許文献１参照。）。
【先行技術文献】
【特許文献】
【０００３】
【特許文献１】特開２０１３−１１８１７２号公報
【発明の概要】
【発明が解決しようとする課題】
【０００４】
しかしながら、蛍光体ホイールを高速で回転させると、ホイールモータの寿命を縮めてしまうことや、高速回転による耳障りな高周波のノイズが生じてしまうという問題点がある。また、特許文献１に記載された技術においては、励起光の照射タイミングを制御して励起光の照射を停止させる期間が発生することから、フリッカーを視覚的に目立たせなくさせることは困難であるという問題点がある。
【０００５】
本発明の目的は、上述した課題を解決する駆動制御装置、プロジェクタ、駆動制御方法およびプログラムを提供することである。
【課題を解決するための手段】
【０００６】
本発明の駆動制御装置は、
蛍光体ホイールを回転させるホイール駆動部と、
前記蛍光体ホイールに対して、光を照射する検出光発生部と、
前記検出光発生部から照射され、前記蛍光体ホイールで反射した光を検知する光センサと、
前記光センサが検知した光の強度に基づいて、前記ホイール駆動部が前記蛍光体ホイールを回転させる回転速度を制御するホイール駆動制御部とを有する。
また、本発明のプロジェクタは、
蛍光体ホイールを回転させるホイール駆動部と、
前記蛍光体ホイールに対して、光を照射する検出光発生部と、
前記検出光発生部から照射され、前記蛍光体ホイールで反射した光を検知する光センサと、
前記光センサが検知した光の強度に基づいて、前記ホイール駆動部が前記蛍光体ホイールを回転させる回転速度を制御するホイール駆動制御部とを有する駆動制御装置と、
画像に応じた励起光を前記蛍光体ホイールへ照射する励起光発生部と、
前記励起光発生部から前記蛍光体ホイールへ照射された励起光から発生した蛍光を投写する投写部とを有する。
また、本発明の駆動制御方法は、
蛍光体ホイールを回転させる処理と、
前記蛍光体ホイールに対して、光を照射する処理と、
前記蛍光体ホイールに対して照射されて該蛍光体ホイールで反射した光を検知する処理と、
前記検知した光の強度に基づいて、前記蛍光体ホイールを回転させる回転速度を制御する処理と行う。
また、本発明のプログラムは、
コンピュータに実行させるためのプログラムであって、
蛍光体ホイールを回転させる手順と、
前記蛍光体ホイールに対して、光を照射する手順と、
前記蛍光体ホイールに対して照射されて該蛍光体ホイールで反射した光を検知する手順と、
前記検知した光の強度に基づいて、前記蛍光体ホイールを回転させる回転速度を制御する手順とを実行させる。
【発明の効果】
【０００７】
以上説明したように、本発明においては、装置に重い負荷をかけることなく、また利用者に不快感を与えることなく、映像を投写することができる。
【図面の簡単な説明】
【０００８】
【図１】本発明の駆動制御装置の実施の一形態を示す図である。
【図２】図１に示した駆動制御装置がプロジェクタに搭載された場合のプロジェクタの一形態を示す図である。
【図３】図２に示した蛍光体ホイールへの光の照射および反射の様子の一例を示す図である。
【図４】図１に示した蛍光体ホイールへの励起光の照射位置と検出光の照射位置との一例を示す図である。
【図５】図１に示した検出光発生部が照射する検出光の強度と時間との関係の一例を示す図である。
【図６】図１に示したホイール駆動制御部における制御方法の詳細を説明するための図である。
【図７】図１に示した駆動制御装置における駆動制御方法を説明するためのフローチャートである。
【発明を実施するための形態】
【０００９】
以下に、本発明の実施の形態について図面を参照して説明する。
【００１０】
図１は、本発明の駆動制御装置の実施の一形態を示す図である。本形態における駆動制御装置１００は図１に示すように、蛍光体ホイール１１０と、ホイール駆動部１２０と、検出光発生部１３０と、光センサ１４０と、ホイール駆動制御部１５０とを有している。なお、図１には、本発明の駆動制御装置１００が具備する構成要素のうち、本実施の形態に関わる主要な構成要素の一例を示す。
蛍光体ホイール１１０は、回転可能なホイール基盤上に蛍光体層が積層され、レーザーダイオードから発生する励起光が当てられると、蛍光を発生させる。
ホイール駆動部１２０は、ホイール駆動制御部１５０から出力された電圧に基づいて、蛍光体ホイール１１０を回転させる。
検出光発生部１３０は、蛍光体ホイール１１０に対して、光を一定の出力で照射する。検出光発生部１３０は、蛍光体ホイール１１０に励起光が照射される位置とは異なる位置であって、蛍光体ホイール１１０に励起光が照射される位置と同じ円周上にある位置に光を照射する。検出光発生部１３０が光を照射する具体的な位置については、後述する。また、検出光発生部１３０は、小規模な赤外線発光素子であっても良い。
光センサ１４０は、検出光発生部１３０から照射され、蛍光体ホイール１１０で反射した光を検知する。光センサ１４０は、検出した光の強度を電気信号（電圧値情報）へ変換し、変換した電気信号をホイール駆動制御部１５０へ出力する。
ホイール駆動制御部１５０は、光センサ１４０が検知した光の強度に基づいて、ホイール駆動部１２０が蛍光体ホイール１１０を回転させる速度を制御する。具体的には、ホイール駆動制御部１５０は、光センサ１４０から出力されてきた電気信号が示す電圧値に基づいて、ホイール駆動部１２０が蛍光体ホイール１１０を回転させる速度を制御する。このとき、ホイール駆動制御部１５０は、光センサ１４０が検知した光の強度（電圧値）があらかじめ設定された閾値よりも低くなったタイミングに応じたタイミングで、ホイール駆動部１２０が蛍光体ホイール１１０を回転させる速度を速い速度へ変化させる。その後、ホイール駆動制御部１５０は、光センサ１４０が検知した光の強度（電圧値）があらかじめ設定された閾値以上となったタイミングに応じたタイミングで、ホイール駆動部１２０が蛍光体ホイール１１０を回転させる速度を元に戻す。ホイール駆動制御部１５０は、ホイール駆動部１２０が蛍光体ホイール１１０を回転させる速度を変化させる場合、その変化後の回転速度に応じた電圧をホイール駆動部１２０へ出力する。また、ホイール駆動制御部１５０は、蛍光体ホイール１１０に励起光が照射される蛍光体ホイール１１０上の位置と、検出光発生部１３０が光を照射する蛍光体ホイール１１０上の位置との位置関係に基づいて、蛍光体ホイール１１０を回転させる速度を変化させるタイミングを制御する。これについても、具体的に後述する。
【００１１】
図２は、図１に示した駆動制御装置１００がプロジェクタに搭載された場合のプロジェクタの一形態を示す図である。
図１に示した駆動制御装置１００が搭載されたプロジェクタ２００は図２に示すように、駆動制御装置１００と、励起光発生部２１０と、投写部２２０とを有している。なお、図２には、本発明のプロジェクタ２００が具備する構成要素のうち、本実施の形態に関わる主要な構成要素の一例を示す。
駆動制御装置１００は、蛍光体ホイール１１０と、ホイール駆動部１２０と、検出光発生部１３０と、光センサ１４０と、ホイール駆動制御部１５０とを有している。それぞれの構成要素の動作は、図１に示したものと同じである。
励起光発生部２１０は、プロジェクタ２００が投写する画像に応じた励起光を蛍光体ホイール１１０へ照射する。励起光発生部２１０は、レーザーダイオードである。
投写部２２０は、励起光発生部２１０から蛍光体ホイール１１０へ照射された励起光から発生した蛍光をスクリーン等へ投写する。
【００１２】
図３は、図２に示した蛍光体ホイール１１０への光の照射および反射の様子の一例を示す図である。図３に示すように、励起光発生部２１０から照射された励起光は、蛍光体ホイール１１０に当たると、蛍光が投写部２２０へ照射される。検出光発生部１３０から照射された検出光は、蛍光体ホイール１１０に当たると、反射光が光センサへ反射される。
【００１３】
図４は、図１に示した蛍光体ホイール１１０への励起光の照射位置と検出光の照射位置との一例を示す図である。
図４に示すように、蛍光体ホイール１１０上の励起光発生部２１０が励起光を照射する位置と、検出光発生部１３０が検出光を照射する位置とが、互いに異なる位置である。また、検出光発生部１３０が検出光を照射する位置は、蛍光体ホイール１１０の回転軸を中心とした、蛍光体ホイール１１０に励起光が照射される位置が存在する円の円周上にある位置である。つまり、検出光発生部１３０が検出光を照射する位置は、回転した蛍光体ホイール１１０に励起光が照射される領域（図４に破線で示した円周）となる円周上に存在する。
また、図４に示すように、蛍光体ホイール１１０上に蛍光体のつなぎ目の隙間がある場合、その隙間の前後の領域に対して励起光発生部２１０が励起光を照射する時間においては、蛍光体ホイール１１０の回転速度を速くする必要がある。検出光発生部１３０が隙間に検出光を照射すると、その反射光の強度は、他の領域のものよりも弱くなる。この性質を用いて、検出光発生部１３０が蛍光体ホイール１１０に検出光を照射し、光センサ１４０が蛍光体ホイール１１０からの反射光の検知し、その反射光の強度に基づいて、隙間の位置を特定する。この方法を用いれば、隙間の位置だけではなく、大きな傷のある箇所、蛍光体層の厚みが他の領域と異なる箇所等も特定することができる。
また、励起光発生部２１０が励起光を照射する位置と、検出光発生部１３０が検出光を照射する位置とが異なるため、ホイール駆動制御部１５０は、その互いの相対位置に基づいて、蛍光体ホイール１１０の回転速度を変更する（速くする、元に戻す）タイミングを算出する。このタイミングの算出には、蛍光体ホイール１１０の回転の中心から見た、励起光発生部２１０が励起光を照射する位置と、検出光発生部１３０が検出光を照射する位置との間の角度および回転速度を用いるものであっても良い。
【００１４】
図５は、図１に示した検出光発生部１３０が照射する検出光の強度と時間との関係の一例を示す図である。図１に示した検出光発生部１３０は図５に示すように、時間に対して一定の強度の検出光を蛍光体ホイール１１０へ照射する。
【００１５】
図６は、図１に示したホイール駆動制御部１５０における制御方法の詳細を説明するための図である。
図６の上段の図は、図１に示した光センサ１４０が検出する反射光の強度から算出された電圧と、時間との関係の一例を示している。ここで、蛍光体ホイール１１０の一部に蛍光体のつなぎ目の隙間や傷があると、図６の上段の図に示すように、その部分に検出光発生部１３０からの検出光が照射される時間（図６中、「Ａ」）、光センサ１４０が検出する反射光の強度が減少する（弱くなる）。
図６の中段の図は、図１に示したホイール駆動制御部１５０が、ホイール駆動部１２０が蛍光体ホイール１１０を回転させるためにホイール駆動部１２０に対して出力する電圧と時間との関係の一例を示している。ホイール駆動制御部１５０は、励起光発生部２１０が励起光を照射する位置と検出光発生部１３０が検出光を照射する位置との間の距離と、現在の回転速度とに基づいて、光センサ１４０が反射光の強度が減少したことを検知してからその強度の減少の要因となった位置（例えば、隙間。以下、隙間位置と称する）が励起光の照射位置に到達するまでの時間を算出する。ホイール駆動制御部１５０は、この算出時間と、光センサ１４０が反射光の強度が減少したことを検知した時刻とに基づいて、隙間位置が励起光の照射位置に到達する時刻（タイミング）を算出する。また、ホイール駆動制御部１５０は、ホイール駆動部１２０のモータの応答時間を、隙間位置が励起光の照射位置に到達する時刻から差し引き、差し引いた時刻になるとホイール駆動部１２０へ現在よりも高い電圧値を出力する。ホイール駆動制御部１５０がホイール駆動部１２０へ現在よりも高い電圧値を出力する時間は、ホイール駆動部１２０のモータの応答時間と上述した「Ａ」とを加算した時間となる。「Ａ」を経過した後、ホイール駆動制御部１５０は、通常の値の電圧をホイール駆動部１２０へ出力する。
図６の下段の図は、図１に示したホイール駆動部１２０が蛍光体ホイール１１０を回転させる回転速度となる回転数と時間との関係の一例を示している。ホイール駆動部１２０は、通常の値の電圧値に対応する回転数（例えば、７２００ｒｐｍに相当する回転数）で蛍光体ホイール１１０を回転させている。ホイール駆動部１２０は、ホイール駆動制御部１５０から出力されてきた電圧値が高い値となったタイミングで蛍光体ホイール１１０を回転させるモータを加速させ、ホイール駆動制御部１５０が算出した、隙間位置が励起光の照射位置に到達する時刻に、ホイール駆動制御部１５０から出力されてきた電圧値に相当する回転数（例えば、１０８００ｒｐｍに相当する回転数）で蛍光体ホイール１１０を回転させる。ホイール駆動部１２０は、上述した「Ａ」の時間、ホイール駆動制御部１５０から出力されてきた電圧値に相当する回転数で蛍光体ホイール１１０を回転させる。このとき、ホイール駆動部１２０は、「Ａ」以上の「Ｂ」の時間、ホイール駆動制御部１５０から出力されてきた電圧値に相当する回転数で蛍光体ホイール１１０を回転させるものであっても良い。この「Ｂ」は、図４に示したように、例えば、隙間から所定の幅の前後の領域を励起光が照射される時間であっても良い。その後、ホイール駆動部１２０は、ホイール駆動制御部１５０から出力されてきた、通常の値の電圧値に対応する回転数（例えば、７２００ｒｐｍに相当する回転数）で蛍光体ホイール１１０を回転させる。
【００１６】
以下に、図１に示した駆動制御装置１００における駆動制御方法について説明する。図７は、図１に示した駆動制御装置１００における駆動制御方法を説明するためのフローチャートである。
【００１７】
まず、ホイール駆動制御部１５０は、所定の速度でホイール駆動部１２０が蛍光体ホイール１１０を回転させるための値の電圧をホイール駆動部１２０へ出力する。これにより、ホイール駆動部１２０は所定の速度で蛍光体ホイール１１０を回転させる（ステップＳ１）。
続いて、検出光発生部１３０が蛍光体ホイール１１０に対して検出光を照射する（ステップＳ２）。すると、光センサ１４０が、検出光発生部１３０から照射されて蛍光体ホイール１１０で反射した反射光の光強度を測定する（ステップＳ３）。光センサ１４０は測定した光強度を電圧値へ変換する（ステップＳ４）。光センサ１４０は、変換した電圧値をホイール駆動制御部１５０へ通知する。
ホイール駆動制御部１５０は、光センサ１４０から通知された電圧値と、あらかじめ設定された閾値とを比較し、光センサ１４０から通知された電圧値が閾値よりも低いかどうかを判定する（ステップＳ５）。ホイール駆動制御部１５０は、光センサ１４０から通知された電圧値が閾値よりも低くはないと判定した場合、ステップＳ１の処理を行う。
一方、ホイール駆動制御部１５０は、光センサ１４０から通知された電圧値が閾値よりも低いと判定した場合は、蛍光体ホイール１１０に励起光が照射される蛍光体ホイール上の位置と、検出光発生部１３０が光を照射する蛍光体ホイール１１０上の位置との位置関係に基づいて、蛍光体ホイール１１０を回転させる速度を変化させるタイミングを算出する（ステップＳ６）。このとき、ホイール駆動制御部１５０は、蛍光体ホイール１１０を回転させる速度を速くさせるタイミングと、元に戻す（遅くする）タイミングとを算出する。ホイール駆動制御部１５０は、蛍光体ホイール１１０を回転させる速度を元に戻す（遅くする）タイミングを、上述した位置関係と、光センサ１４０から通知された電圧値が閾値よりも低い値が続いている時間とに基づいて算出する。
ホイール駆動制御部１５０は、算出した蛍光体ホイール１１０を回転させる速度を速くさせるタイミングになったと判別すると（ステップＳ７）、ホイール駆動制御部１５０は、ホイール駆動部１２０へ出力している電圧を現在の電圧値よりも高い所定の電圧値のものへ変化させて出力する（ステップＳ８）。すると、ホイール駆動部１２０は、蛍光体ホイール１１０を現在の回転速度よりも速い回転速度で回転させる。
その後、ホイール駆動制御部１５０は、算出した蛍光体ホイール１１０を回転させる速度を元の速度に戻すタイミングになったと判別すると（ステップＳ９）、ホイール駆動制御部１５０は、ホイール駆動部１２０へ出力している電圧を現在の電圧値よりも低い元の電圧値のものへ変化させて出力する。すると、ホイール駆動部１２０は、蛍光体ホイール１１０を現在の回転速度よりも遅い元の回転速度で回転させる（ステップＳ１０）。
【００１８】
このように、例えば、蛍光体のつなぎ目の隙間や大きな傷のある箇所に励起光が当たる期間のみ蛍光体ホイール１１０の回転数を速くして、蛍光の強弱を目立たなくさせることで、投写画面に発生するフリッカーを抑えることができる。これにより、蛍光体ホイール１１０の回転数を常に高速にする必要がなくなり、モータの寿命に対しても有利であり、高周波のノイズが発生する時間も極短期間となる。
また、検出光発生部１３０が発生する検出光は、蛍光体ホイール１１０に積層された蛍光体の状態（つなぎ目や傷等）を検出するだけのものである。そのため、検出光発生部１３０と光センサ１４０とは、小規模の赤外線発光素子と光センサとで構成することができ、小さく、安価な構成で実現することができる。また、励起光の漏れ光成分を利用する構成でも安価な構成が実現できる。
また、光センサ１４０が、検出光発生部１３０から照射されて蛍光体ホイール１１０で反射した反射光を検出する感度を上げることで、蛍光体の厚みのばらつきによる蛍光の不均一性を原因としたフリッカーを抑えることができる。この場合、厚い箇所は速く回転させ、薄い箇所は遅く回転させるというように、回転数を変調させる。
【００１９】
上述した駆動制御装置１００に設けられた各構成要素が行う処理は、目的に応じてそれぞれ作製された論理回路で行うようにしても良い。また、処理内容を手順として記述したコンピュータプログラム（以下、プログラムと称する）を駆動制御装置１００にて読取可能な記録媒体に記録し、この記録媒体に記録されたプログラムを駆動制御装置１００に読み込ませ、実行するものであっても良い。駆動制御装置１００にて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体の他、駆動制御装置１００に内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、駆動制御装置１００に設けられたＣＰＵ（Ｃｅｎｔｒａｌ  Ｐｒｏｃｅｓｓｉｎｇ  Ｕｎｉｔ）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００２０】
上記の実施の形態の一部または全部は、以下の付記のようにも記載され得るが、以下には限られない。
（付記１）蛍光体ホイールを回転させるホイール駆動部と、
前記蛍光体ホイールに対して、光を照射する検出光発生部と、
前記検出光発生部から照射され、前記蛍光体ホイールで反射した光を検知する光センサと、
前記光センサが検知した光の強度に基づいて、前記ホイール駆動部が前記蛍光体ホイールを回転させる回転速度を制御するホイール駆動制御部とを有する駆動制御装置。
（付記２）前記検出光発生部は、回転した前記蛍光体ホイールに励起光が照射される領域であって、該励起光が照射される位置とは異なる位置に前記光を照射する、付記１に記載の駆動制御装置。
（付記３）前記ホイール駆動制御部は、前記蛍光体ホイールに励起光が照射される該蛍光体ホイール上の位置と、前記検出光発生部が光を照射する前記蛍光体ホイール上の位置との位置関係に基づいて、前記蛍光体ホイールを回転させる回転速度を変化させるタイミングを制御する、付記２に記載の駆動制御装置。
（付記４）前記ホイール駆動制御部は、前記光センサが検知した光の強度が所定の閾値よりも弱くなったタイミングに応じたタイミングで、前記ホイール駆動部が前記蛍光体ホイールを回転させる回転速度を速い速度へ変化させ、その後、前記光センサが検知した光の強度が所定の閾値よりも弱くなくなったタイミングに応じたタイミングで、前記ホイール駆動部が前記蛍光体ホイールを回転させる回転速度を元に戻す、付記１から３のいずれか１項に記載の駆動制御装置。
（付記５）前記検出光発生部は、前記蛍光体ホイールに対して、赤外線を照射する、付記１から４のいずれか１項に記載の駆動制御装置。
（付記６）付記１から５のいずれか１項に記載の駆動制御装置と、
画像に応じた励起光を前記蛍光体ホイールへ照射する励起光発生部と、
前記励起光発生部から前記蛍光体ホイールへ照射された励起光から発生した蛍光を投写する投写部とを有するプロジェクタ。
（付記７）前記励起光発生部は、レーザーダイオードである、付記６に記載のプロジェクタ。
（付記８）蛍光体ホイールを回転させる処理と、
前記蛍光体ホイールに対して、光を照射する処理と、
前記蛍光体ホイールに対して照射されて該蛍光体ホイールで反射した光を検知する処理と、
前記検知した光の強度に基づいて、前記蛍光体ホイールを回転させる回転速度を制御する処理と行う駆動制御方法。
（付記９）コンピュータに、
蛍光体ホイールを回転させる手順と、
前記蛍光体ホイールに対して、光を照射する手順と、
前記蛍光体ホイールに対して照射されて該蛍光体ホイールで反射した光を検知する手順と、
前記検知した光の強度に基づいて、前記蛍光体ホイールを回転させる回転速度を制御する手順とを実行させるためのプログラム。
【００２１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【符号の説明】
【００２２】
１００    駆動制御装置
１１０    蛍光体ホイール
１２０    ホイール駆動部
１３０    検出光発生部
１４０    光センサ
１５０    ホイール駆動制御部
２００    プロジェクタ
２１０    励起光発生部
２２０    投写部
【図１】
2017151140.tif 000003
【図２】
2017151140.tif 000004
【図３】
2017151140.tif 000005
【図４】
2017151140.tif 000006
【図５】
2017151140.tif 000007
【図６】
2017151140.tif 000008
【図７】
2017151140.tif 000009